(57)【要約】【課題】電源を立ち上げた状態で、通信装置のＦＰＧＡ等に通信装置を制御するＦ／Ｗ（ファームウェア）がダウンロードされていなくても、また、通信装置を制御するＳ／Ｗ的な動作に問題が発生した場合でも、異なる点灯方式の表示部について同一のハードウェアを用いながらも正しく状態を表示することができる通信装置を提供することを目的とする。【解決手段】所定のプログラムにより制御される通信装置において、状態を表示する状態表示部２と、同一のハードウェアで上記所定のプログラムとは異なる複数のプログラムの内任意に予め選択されたいずれかのプログラムが組み込まれたＰＬＤを有し、上記ＰＬＤに組み込まれたプログラムに基づき、上記状態表示部２の表示状態を制御するＬＥＤ状態制御部３とを備えたことを特徴とする。【選択図】        図１
2004215010.tif 000002
【特許請求の範囲】
【請求項１】
所定のプログラムにより制御される通信装置において、
状態を表示する表示部と、
同一のハードウェアで上記所定のプログラムとは異なる複数のプログラムの内任意に予め選択されたいずれかのプログラムが組み込まれた論理回路を有し、上記論理回路に組み込まれたプログラムに基づき、上記表示部の表示状態を制御する状態制御部と
を備えたことを特徴とする通信装置。
【請求項２】
上記表示部は、発光色の異なる複数のＬＥＤを備え、
上記状態制御部は、上記複数のＬＥＤの内、いずれかの上記ＬＥＤのＯＮとＯＦＦとを制御することが予め設定され、設定された上記ＬＥＤのＯＮとＯＦＦとを制御することを特徴とする請求項１記載の通信装置。
【請求項３】
所定のプログラムにより制御される通信装置において、
状態を表示するＬＥＤ（発行ダイオード）と、
上記所定のプログラムとは異なる上記ＬＥＤの初期表示状態を制御する初期状態プログラムが組み込まれたＰＬＤ（Ｐｒｏｇｒａｍｍａｂｌｅ  Ｌｏｇｉｃ  Ｄｅｖｉｃｅ）を有し、上記ＰＬＤを用いて、上記ＬＥＤのＯＮとＯＦＦとを制御するＬＥＤ状態制御部と
を備えたことを特徴とする通信装置。
【発明の詳細な説明】
【０００１】
【発明の属する技術分野】
本発明は、所定のプログラムにより制御される状態を表示する通信装置に関する。特に、Ｈ／Ｗ（ハードウェア）の状態を表示するＬＥＤを備えた無線基地局装置において、点灯仕様の異なる複数のユーザに製品を提供する場合でも同一Ｈ／Ｗで装置を製造しコスト削減を計る技術に関する。
【０００２】
【従来の技術】
動作表示もしくは操作部／表示部照光用ＬＥＤ点灯における消費電流の増加を抑え、通信装置全体の消費電流を低減させることを目的として、以下の構成が公知となっている。ＣＰＵ（ソフトウェア）によって発行される点灯または消灯命令をレジスタに保持し、間欠送受信を行なう通信装置に対する送信及び受信のタイミングがタイミング生成部で生成される。上記レジスタに保持した点灯命令と上記タイミング生成部の受信タイミングがＡＮＤ回路で一致したときＬＥＤに点灯信号を出力する。（特許文献１参照）
【０００３】
着信多色ＬＥＤの電力消費を低減し、且つ、着信時の視覚的な通知をユーザの好みに対応できるようにすることを目的として、以下の構成が公知となっている。着信時に発光を行う着信多色ＬＥＤ付き携帯電話機の電力消費低減システムに、レンズを通して発光色が異なる複数の種類のＬＥＤを発光し、多色発光で着信を視覚的に通知する多色着信ＬＥＤと、着信時に、多色着信ＬＥＤを構成する１つのＬＥＤを順番に一定時間ＯＮにするＬＥＤ制御回路とを備える。（特許文献２参照）
【０００４】
異なる種類の通信プロトコルに対応することができ、かつ処理速度が速く高性能な通信装置を提供することを目的として、以下の構成が公知となっている。同一の通信回線で複数の異なる通信プロトコルを実行する機能を備えたルータ装置等の通信装置において、通信プロトコルによるデータ通信を制御し、オンボード状態で書き換え可能な論理制御回路を備えた第１及び第２の通信制御部と、通信プロトコルによるデータ通信を行う前の呼動作時に、使用すべき通信プロトコルの種類を判別する通信プロトコル判別部と、その通信プロトコル判別部により判別された通信プロトコルの種類に応じて、第１及び第２の通信制御部の論理制御回路を書き換える書換部を有する。上記の論理制御回路は、例えば、ＦＰＧＡ又はＰＬＤで構成されている。通信プロトコル判別部は、網側から指定される通信速度によって通信プロトコルの種類を判別する。（特許文献３参照）
【０００５】
【特許文献１】
特開平８−１３８１３５号公報
【特許文献２】
特開２００１−１０３１３１号公報
【特許文献３】
特開２０００−２８６９１８号公報
【０００６】
【発明が解決しようとする課題】
異なる点灯方式のＬＥＤ（発光ダイオード）の制御は、Ｈ／Ｗ的に異なるものを製造するか、Ｓ／Ｗ（ソフトウェア）により制御する方法がある。
ユーザの要求に応じて異なるＨ／Ｗを製造する場合、製品は別々に評価、管理する必要がり、製造、品質管理にコストを要してしまうといった問題があった。一方、Ｓ／Ｗ的にＬＥＤを制御する場合はＳ／Ｗが正常に動作していなければＬＥＤの制御が出来ず正しく表示されない場合があるといった問題があった。
【０００７】
Ｓ／Ｗ的にＬＥＤを制御する場合において、例えば、無線基地局装置において、基地局装置が上位装置より基準クロック信号を受信し、その信号に同期して動作する装置である場合、上位装置に不具合が発生し信号を送信不可能になった時、基地局装置は上位装置に同期できず正常に動作しない可能性が有る。この時、装置状態のＬＥＤ表示をユーザ１では「赤」とする仕様で、ユーザ２では「黄」とする仕様であった。基地局装置は上位装置より基準クロックを受信できないためにＣＰＵが正常に動作せず、それに従い基地局も動作しない可能性がありＳ／Ｗ的にＬＥＤの制御はできない。従って、この場合、各ユーザに対応したＨ／Ｗを提供する必要があった。
【０００８】
また、電源を立ち上げた状態で、通信装置のＦＰＧＡ等に通信装置を制御するＦ／Ｗ（ファームウェア）がダウンロードされていなくても、また、Ｓ／Ｗ的な動作に問題が発生した場合でも、正しく状態が表示され無ければならない。
【０００９】
上記特許文献１に記載の技術は、ＬＥＤの消灯命令を制御し消費電流を低減しようとする回路であり、点灯仕様の変更を可能にすることはできない。
また、上記特許文献２に記載の技術は、ＬＥＤの消灯時間を制御し消費電流を低減しようとする回路であり、点灯仕様の変更を可能にすることはできない。
また、上記特許文献３に記載の技術は、ＰＬＤ（Ｐｒｏｇｒａｍｍａｂｌｅ  Ｌｏｇｉｃ  Ｄｅｖｉｃｅ）書換えに関するものであり、点灯仕様の変更を可能にすることはできない。
【００１０】
本発明は、電源を立ち上げた状態で、通信装置のＦＰＧＡ等に通信装置を制御するＦ／Ｗ（ファームウェア）がダウンロードされていなくても、通信装置を制御するＳ／Ｗ的な動作に問題が発生した場合でも正しく状態を表示することができ、また、異なる点灯方式の表示部について同一のハードウェアを用いることが可能な通信装置を提供することを目的とする。
【００１１】
【課題を解決するための手段】
この発明に係る通信装置は、所定のプログラムにより制御される通信装置において、
状態を表示する表示部と、
同一のハードウェアで上記所定のプログラムとは異なる複数のプログラムの内任意に予め選択されたいずれかのプログラムが組み込まれた論理回路を有し、上記論理回路に組み込まれたプログラムに基づき、上記表示部の表示状態を制御する状態制御部と
を備えたことを特徴とする。
【００１２】
【発明の実施の形態】
実施の形態１．
以下、実施の形態１を図面を参照しながら説明する。
図１は、実施の形態１における無線基地局装置のＬＥＤ表示部の構成を示すブロックである。
図１において、通信装置の一例としての無線基地局装置１のＬＥＤ表示部は、状態表示部２、ＬＥＤ状態制御部３を備えている。状態表示部２は、ＬＥＤを有し、ＬＥＤにより状態を表示している。
【００１３】
図２は、無線通信システム全体のシステム構成を表したブロック図である。
図２において、無線基地局装置１は、上位層の通信網４に無線ネットワーク制御装置５（以下、ＲＮＣという。）で接続され、通信網４側よりクロック信号、制御情報を受けて動作する。無線基地局装置１は、下位層の携帯端末６と無線接続され制御信号、通信信号を送受信し通信を行う。無線基地局装置１は、通信網４と携帯端末６間の通信接続行う装置である。
【００１４】
通信装置の一例としての無線基地局装置１は、所定のプログラムにより制御される。通信装置は、図示していないがＦＰＧＡ等の制御回路を有している。そして、通信装置を制御する所定のプログラムは、Ｆ／Ｗ或いはＳ／Ｗとして記憶装置に記憶されている。
表示部は、状態を表示する。すなわち、一例として状態表示部２のＬＥＤ（発行ダイオード）は、状態を表示する。
状態制御部は、同一のハードウェアで上記所定のプログラムとは異なる複数のプログラムの内任意に予め選択されたいずれかのプログラムが組み込まれた論理回路を有し、上記論理回路に組み込まれたプログラムに基づき、上記表示部の表示状態を制御する。例えば、状態制御部の一例としてＬＥＤ状態制御部３は、上記所定のプログラムとは異なる上記ＬＥＤの初期表示状態を制御する初期状態プログラムが組み込まれたＰＬＤを有し、上記ＰＬＤを用いて、上記ＬＥＤのＯＮとＯＦＦとを制御する。ここで、論理回路の一例としてＰＬＤを用いているが、これに限るものではなく、電源をＯＦＦからＯＮにしても出力を記憶可能なＩＣ（Ｉｎｔｅｇｒａｔｅｄ  Ｃｉｒｃｕｉｔ）であれば構わない。すなわち、状態制御部は、状態を表示するＬＥＤとＬＥＤのＯＮ／ＯＦＦを制御するＬＥＤ状態制御部を有し、かつ、出力信号を記憶状態により設定可能にした装置であり、電源をＯＮした状態でＬＥＤの制御が可能となり、また、記憶状態を変更することによりＬＥＤの状態を変更する制御が出来る装置である。
すなわち、通信装置の一例としての無線基地局装置１は、ＬＥＤの状態の変更が出来る状態表示の仕様変更可能な無線基地局装置である。
【００１５】
以上のように、本実施の形態における無線基地局装置は、Ｈ／Ｗの立上状態を表示するＬＥＤを備えた無線基地局装置で、ＰＬＤ等の状態を記憶可能な装置を実装し、電源をＯＮすればデータのダウンロード等は必要とせず記憶状態によりＬＥＤの点灯状態を制御し、また、その仕様を自由に変更可能にした状態表示の仕様変更可能な無線基地局装置である。すなわち、初期状態を記憶可能なＰＬＤ等を実装することにより、電源投入と同時にＬＥＤの制御が可能になり、また、記憶状態を変更することにより、点灯内容を自由に変更することが可能となる。
本実施の形態によれば、電源を立ち上げた状態で、通信装置のＦＰＧＡ等に通信装置を制御するＦ／Ｗ（ファームウェア）がダウンロードされていなくても、また、通信装置を制御するＳ／Ｗ的な動作に問題が発生した場合でも、異なる点灯方式の表示部について同一のハードウェアを用いながらも正しく状態を表示することができる通信装置を提供することができる。
すなわち、本実施の形態に係わる無線基地局装置１は、異なる仕様の複数ユーザの要求に応じて、Ｈ／Ｗの変更をすることなくＬＥＤの点灯仕様を変更することが可能となり、設計、製造、品質においてコストの削減が計れる。
【００１６】
実施の形態２．
図３は、実施の形態２における無線基地局装置のＬＥＤ表示部の構成を示すブロックである。
図３において、通信装置の一例としての無線基地局装置１のＬＥＤ表示部の状態表示部２（表示部の一例である）は、発光色の異なる複数のＬＥＤ（図３では、２つのＬＥＤで２色を発光可能）を有し、ＬＥＤにより状態を表示している。その他の構成は、実施の形態１と同様である。
上記状態制御部の一例としてＬＥＤ状態制御部３は、上記複数のＬＥＤの内、いずれかの上記ＬＥＤのＯＮとＯＦＦとを制御することが予め設定され、設定された上記ＬＥＤのＯＮとＯＦＦとを制御する。
【００１７】
本実施の形態２によれば、実施の形態１の効果に加え、さらに、２色発光ＬＥＤを使用することにより、より多くの表示状態の変更が可能となる。そして、複数色発行可能なＬＥＤを使用することにより各ユーザの警報内容に合わせて、点灯色を変更することを可能にした無線基地局装置を提供することができる。
【００１８】
【発明の効果】
本発明によれば、異なる仕様の複数ユーザの要求に応じて、Ｈ／Ｗの変更をすることなく表示部の点灯仕様を変更することが可能となり、設計、製造、品質においてコストの削減が計れる。
【図面の簡単な説明】
【図１】図１は、実施の形態１における無線基地局装置のＬＥＤ表示部の構成を示すブロックである。
【図２】図２は、無線通信システム全体のシステム構成を表したブロック図である。
【図３】図３は、実施の形態２における無線基地局装置のＬＥＤ表示部の構成を示すブロックである。
【符号の説明】
１  無線基地局装置、２  状態表示部、３  ＬＥＤ状態制御部、４  通信網、５  ＲＮＣ、６  携帯端末。
【図１】
2004215010.tif 000003
【図２】
2004215010.tif 000004
【図３】
2004215010.tif 000005